(57)【要約】本発明は、癌治療活性および癌予防活性について薬剤をスクリーニングする方法を提供する。特定の実施形態では、細胞性粘菌Ｄｉｃｔｙｏｓｔｅｌｉｕｍ  ｄｉｓｃｏｉｄｅｕｍの細胞を候補薬剤と接触させ、そしてヌクレオチド除去修復（ＮＥＲ）経路および塩基除去修復（ＢＥＲ）経路における遺伝子の発現を調べる。このような遺伝子としては、ヘリカーゼｒｅｐＢおよびｒｅｐＤ、ならびにＡＰエンドヌクレアーゼＡＰＥが挙げられる。【特許請求の範囲】
【請求項１】
癌の予防または処置において使用するための薬剤をスクリーニングする方法であって、以下：
（ａ）Ｄｉｃｔｙｏｓｔｅｌｉｕｍ  ｄｉｓｃｏｉｄｅｕｍの栄養細胞を、試験薬剤と接触させる工程；
（ｂ）該試験薬剤の細胞傷害性を評価する工程；
（ｃ）ｒｅｐＢ、ｒｅｐＤおよびＡＰＥのうちの１以上の遺伝子の産物の発現に対する該試験薬剤の影響を評価する工程；ならびに
（ｄ）該試験薬剤の存在下での該細胞傷害性および該発現を、該試験薬剤に暴露していないＤｉｃｔｙｏｓｔｅｌｉｕｍ  ｄｉｓｃｏｉｄｅｕｍの栄養細胞と比較する工程であって；
ここで、
（ｉ）細胞傷害性であるが、ｒｅｐＢ、ｒｅｐＤおよびＡＰＥのうちの１以上の遺伝子の産物の発現を誘導しない試験薬剤は、化学療法剤として有用である；
（ｉｉ）細胞傷害性ではないが、ｒｅｐＢ、ｒｅｐＤおよびＡＰＥのうちの１以上の遺伝子の産物の発現を誘導する試験薬剤は、化学予防剤として有用である；そして
（ｉｉｉ）ｒｅｐＢ、ｒｅｐＤおよびＡＰＥのうちの１以上の遺伝子の産物の発現を阻害する試験薬剤は、ＤＮＡ損傷剤と組み合わせて適用された場合、化学療法剤として有用である、工程
を包含する、方法。
【請求項２】
ｒｅｐＢの発現を評価する工程が行われ、そしてｒｅｐＤおよびＡＰＥの発現を評価する工程が行われない、請求項１に記載の方法。
【請求項３】
ｒｅｐＤの発現を評価する工程が行われ、そしてｒｅｐＢおよびＡＰＥの発現を評価する工程が行われない、請求項１に記載の方法。
【請求項４】
ＡＰＥの発現を評価する工程が行われ、そしてｒｅｐＢおよびｒｅｐＤの発現を評価する工程が行われない、請求項１に記載の方法。
【請求項５】
ｒｅｐＢおよびｒｅｐＤの発現を評価する工程が行われ、そしてＡＰＥの発現を評価する工程が行われない、請求項１に記載の方法。
【請求項６】
ｒｅｐＢおよびＡＰＥの発現を評価する工程が行われ、そしてｒｅｐＤの発現を評価する工程が行われない、請求項１に記載の方法。
【請求項７】
ｒｅｐＤおよびＡＰＥの発現を評価する工程が行われ、そしてｒｅｐＢの発現を評価する工程が行われない、請求項１に記載の方法。
【請求項８】
ｒｅｐＢ、ｒｅｐＤおよびＡＰＥの発現を評価する工程が行われる、請求項１に記載の方法。
【請求項９】
前記試験薬剤で処理されていないＤｉｃｔｙｏｓｔｅｌｉｕｍ  ｄｉｓｃｏｉｄｅｕｍの栄養細胞において、工程（ｃ）において測定したのと同じ遺伝子の発現を測定する工程をさらに包含する、請求項１に記載の方法。
【請求項１０】
細胞傷害性が、クローンプレーティング、トリパンブルー排除、フィロキシンＢ色素排除およびＤＮＡの分解／ラダー化を測定することによって評価される、請求項１に記載の方法。
【請求項１１】
発現が、標的核酸へのプローブのハイブリダイゼーションによって評価される、請求項１に記載の方法。
【請求項１２】
ＲＴ−ＰＣＲＴＭをさらに包含する、請求項１１に記載の方法。
【請求項１３】
前記プローブが、ＲＴ−ＰＣＲＴＭについてのプライマー対のメンバーであり、そして標識を含む、請求項１２に記載の方法。
【請求項１４】
前記標識が、放射性標識、発蛍光団標識、化学発光標識、酵素標識またはリガンドである、請求項１３に記載の方法。
【請求項１５】
前記リガンドがビオチンであり、そして該リガンドが、酵素結合体化アビジンおよび検出可能な酵素基質と接触させることによって検出される、請求項１４に記載の方法。
【請求項１６】
標的核酸を基材へと結合させる工程をさらに包含する、請求項１１に記載の方法。
【請求項１７】
前記基材が、ナイロンまたはニトロセルロースのメンブレンである、請求項１６に記載の方法。
【請求項１８】
前記プローブが、放射性標識、発蛍光団標識、化学発光標識、酵素標識またはリガンドで標識される、請求項１６に記載の方法。
【請求項１９】
発現が、前記Ｄｉｃｔｙｏｓｔｅｌｉｕｍ  ｄｉｓｃｏｉｄｅｕｍの栄養細胞へと安定に形質転換された発現カセットによって評価され、該発現カセットが、ｒｅｐＢ、ｒｅｐＤまたはＡＰＥのプロモーター領域の転写制御下で検出可能なレポーター酵素をコードする核酸セグメントを含む、請求項１に記載の方法。
【請求項２０】
前記検出可能なレポーター酵素が、β−ガラクトシダーゼ、β−グルクロニダーゼ、ルシフェラーゼまたはグリーン蛍光タンパク質をコードする、請求項１９に記載の方法。
【請求項２１】
前記アッセイが、ｒｅｐＢ、ｒｅｐＤおよびＡＰＥのうちの１以上の遺伝子の産物の発現の阻害についてのポジティブコントロールをさらに含む、請求項１に記載の方法。
【請求項２２】
前記アッセイが、ｒｅｐＢ、ｒｅｐＤおよびＡＰＥのうちの１以上の遺伝子の産物の発現の誘導についてのポジティブコントロールをさらに含む、請求項１に記載の方法。
【請求項２３】
前記アッセイが、細胞傷害性についてのポジティブコントロールをさらに含む、請求項１に記載の方法。
【請求項２４】
前記アッセイが、ｒｅｐＢ、ｒｅｐＤおよびＡＰＥのうちの１以上の遺伝子の産物の発現の阻害についてのネガティブコントロールをさらに含む、請求項１に記載の方法。
【請求項２５】
前記アッセイが、ｒｅｐＢ、ｒｅｐＤおよびＡＰＥのうちの１以上の遺伝子の産物の発現の誘導についてのネガティブコントロールをさらに含む、請求項１に記載の方法。
【請求項２６】
前記アッセイが、細胞傷害性についてのネガティブコントロールをさらに含む、請求項１に記載の方法。
【請求項２７】
前記試験薬剤が、天然に存在する分子である、請求項１に記載の方法。
【請求項２８】
前記試験薬剤が、合成分子である、請求項１に記載の方法。
【請求項２９】
前記試験薬剤が、天然に存在する分子の合成誘導体である、請求項１に記載の方法。
【請求項３０】
前記細胞中でのＤＮＡ損傷を評価する工程をさらに包含する、請求項１に記載の方法。
【請求項３１】
ＤＮＡ損傷を評価する工程が、質量分析法を含む、請求項３０に記載の方法。
【請求項３２】
ｒｅｐＢ、ｒｅｐＤまたはＡＰＥのプロモーター領域の転写制御下で検出可能なレポーター酵素をコードする核酸セグメントを含む発現カセットで安定に形質転換された、Ｄｉｃｔｙｏｓｔｅｌｉｕｍ  ｄｉｓｃｏｉｄｅｕｍの栄養細胞。
【請求項３３】
癌の予防または処置において使用するための化合物を作製する方法であって、以下：
（ａ）Ｄｉｃｔｙｏｓｔｅｌｉｕｍ  ｄｉｓｃｏｉｄｅｕｍの栄養細胞を、該化合物と接触させる工程；
（ｂ）該化合物の細胞傷害性を評価する工程；
（ｃ）ｒｅｐＢ、ｒｅｐＤおよびＡＰＥのうちの１以上の発現に対する該化合物の影響を評価する工程；ならびに
（ｄ）該化合物の存在下での該細胞傷害性および該発現を、該化合物に暴露していないＤｉｃｔｙｏｓｔｅｌｉｕｍ  ｄｉｓｃｏｉｄｅｕｍの栄養細胞と比較する工程；ならびに
（ｅ）該化合物を作製する工程
を包含する、方法。
【発明の詳細な説明】
【０００１】
（発明の背景）
政府は、Ｎａｔｉｏｎａｌ  Ｉｎｓｔｉｔｕｔｅｓ  ｏｆ  Ｈｅａｌｔｈからの助成金番号ＧＭ５３９２９に従って本発明において権利を有する。本願は、２０００年７月３１日の優先日を有する、米国仮出願第６０／２２１，９０８号に対する優先権の利益を主張する。
【０００２】
（１．発明の分野）
本発明は一般に、細胞生物学、分子生物学および腫瘍学の分野に関する。より詳細には、本発明は、癌治療および癌予防における使用のための化学薬剤のスクリーニングにおけるＤｉｃｔｙｏｓｔｅｌｉｕｍ  ｄｉｓｃｏｉｄｅｕｍ細胞の使用に関する。
【０００３】
（２．関連技術の説明）
細胞は、ＵＶ光、電離放射線および化学物質のような、それらのＤＮＡを損傷し得る種々の細胞外傷害に絶えず暴露されている。ＤＮＡ損傷は、変異を、そして最終的には癌をもたらし得る。多くの悪性疾患を処置するために用いられる放射線治療および化学療法が結局、耐性腫瘍細胞の選択をもたらすかまたはそれらのＤＮＡ損傷能力によって二次的な腫瘍を引き起こすことは皮肉である。明らかに、ＤＮＡ損傷、ＤＮＡ修復および薬物耐性の機構の完全な理解は、癌の効果的な予防および処置のために必須である。
【０００４】
全ての種は、ＤＮＡ損傷の修復のための機構を有する。これらの機構は高度に特異的であり、そして細胞が特定の型の損傷を認識して適切な応答を開始することを可能にする。さらに、これらの系は、種を通して高度に保存され、そしてモデル生物を研究することから得られる情報はヒトに適切である。
【０００５】
（発明の要旨）
従って、本発明に従って、癌の予防または処置において使用するための薬剤をスクリーニングする方法が提供され、この方法は：（ａ）Ｄｉｃｔｙｏｓｔｅｌｉｕｍ  ｄｉｓｃｏｉｄｅｕｍの栄養細胞を、試験薬剤と接触させる工程；（ｂ）この試験薬剤の細胞傷害性を評価する工程；（ｃ）ｒｅｐＢ、ｒｅｐＤおよびＡＰＥのうちの１以上の遺伝子の産物の発現に対するこの試験薬剤の影響を評価する工程；ならびに（ｄ）この試験薬剤の存在下でのこの細胞傷害性およびこの発現を、この試験薬剤に暴露していないＤｉｃｔｙｏｓｔｅｌｉｕｍ  ｄｉｓｃｏｉｄｅｕｍの栄養細胞と比較する工程を包含し；ここで、（ｉ）細胞傷害性であるが、ｒｅｐＢ、ｒｅｐＤおよびＡＰＥのうちの１以上の遺伝子の産物の発現を誘導しない試験薬剤は、化学療法剤として有用である；（ｉｉ）細胞傷害性ではないが、ｒｅｐＢ、ｒｅｐＤおよびＡＰＥのうちの１以上の遺伝子の産物の発現を誘導する試験薬剤は、化学予防剤として有用である；そして（ｉｉｉ）ｒｅｐＢ、ｒｅｐＤおよびＡＰＥのうちの１以上の遺伝子の産物の発現を阻害する試験薬剤は、ＤＮＡ損傷剤と組み合わせて適用された場合、化学療法剤として有用である。
【０００６】
発現を評価する工程は、ｒｅｐＢ発現を評価すること、ｒｅｐＤ発現を評価すること、ＡＰＥ発現を評価すること、ｒｅｐＢおよびｒｅｐＤの発現を評価すること、ｒｅｐＢおよびＡＰＥの発現を評価すること、ｒｅｐＤおよびＡＰＥを評価すること、またはｒｅｐＢ、ｒｅｐＤおよびＡＰＥの発現を評価することを含み得る。さらなる工程では、上記試験薬剤で処理されていないＤｉｃｔｙｏｓｔｅｌｉｕｍ  ｄｉｓｃｏｉｄｅｕｍの栄養細胞において、上記と同じ遺伝子の発現を測定し得る。
【０００７】
細胞傷害性（ｃｙｔｏｘｏｃｉｔｙ）は、クローンプレーティング、トリパンブルー排除、フィロキシンＢ（ｐｈｙｌｏｘｉｎｅ  Ｂ）色素排除およびＤＮＡの分解／ラダー化によって生存率を測定することによって評価され得る。発現は、標的核酸へのプローブのハイブリダイゼーション（ＲＴ−ＰＣＲＴＭおよび「リアルタイム」ＰＣＲＴＭを含む）によって評価され得る。１以上のプローブは、標識（例えば、放射性標識、発蛍光団標識、化学発光標識、酵素標識またはリガンド（例えば、リガンドが酵素結合体化アビジンまたはストレプトアビジンおよび検出可能な酵素基質との接触によって検出される場合、ビオチン）を含み得る。この方法はまた、標的核酸を基材（例えば、ナイロンまたはニトロセルロースのメンブレン）へと結合させることを含み得る。
【０００８】
発現はまた、上記Ｄｉｃｔｙｏｓｔｅｌｉｕｍ  ｄｉｓｃｏｉｄｅｕｍの栄養細胞へと安定に形質転換された発現カセットによって評価され得、この発現カセットは、ｒｅｐＢ、ｒｅｐＤまたはＡＰＥのプロモーター領域の転写制御下で検出可能なレポーター酵素をコードする核酸セグメントを含む。検出可能なレポーター酵素は、β−ガラクトシダーゼ、β−グルクロニダーゼ、ルシフェラーゼまたはグリーン蛍光タンパク質をコードし得る。
【０００９】
このアッセイは、ｒｅｐＢ、ｒｅｐＤおよびＡＰＥのうちの１以上の遺伝子の産物の発現の阻害についてのポジティブコントロール、ｒｅｐＢ、ｒｅｐＤおよびＡＰＥのうちの１以上の遺伝子の産物の発現の誘導についてのポジティブコントロール、ならびに／または細胞傷害性についてのポジティブコントロールをさらに含み得る。
【００１０】
このアッセイは、ｒｅｐＢ、ｒｅｐＤおよびＡＰＥのうちの１以上の遺伝子の産物の発現の阻害についてのネガティブコントロール、ｒｅｐＢ、ｒｅｐＤおよびＡＰＥのうちの１以上の遺伝子の産物の発現の誘導についてのネガティブコントロール、ならびに／または細胞傷害性についてのネガティブコントロールをさらに含み得る。
【００１１】
この試験薬剤は、天然に存在する分子、合成分子または天然に存在する分子の合成誘導体であり得る。この方法はまた、（例えば、質量分析法によって）上記細胞中でのＤＮＡ損傷を評価することをさらに含み得る。
【００１２】
別の実施形態では、ｒｅｐＢ、ｒｅｐＤまたはＡＰＥのプロモーター領域の転写制御下で検出可能なレポーター酵素をコードする核酸セグメントを含む発現カセットで安定に形質転換された、Ｄｉｃｔｙｏｓｔｅｌｉｕｍ  ｄｉｓｃｏｉｄｅｕｍの栄養細胞が提供される。
【００１３】
なおさらに別の実施形態では、癌の予防または処置において使用するための化合物を作製する方法が提供され、この方法は：（ａ）Ｄｉｃｔｙｏｓｔｅｌｉｕｍ  ｄｉｓｃｏｉｄｅｕｍの栄養細胞を、この化合物と接触させる工程；（ｂ）この化合物の細胞傷害性を評価する工程；（ｃ）ｒｅｐＢ、ｒｅｐＤおよびＡＰＥのうちの１以上の発現に対するこの化合物の影響を評価する工程；ならびに（ｄ）この化合物の存在下でのこの細胞傷害性およびこの発現を、この化合物に暴露していないＤｉｃｔｙｏｓｔｅｌｉｕｍ  ｄｉｓｃｏｉｄｅｕｍの栄養細胞と比較する工程；ならびに（ｅ）この化合物を作製する工程を包含する。
【００１４】
（例示的実施形態の説明）
癌は、先進工業国および非工業国の両方において主な死因であり、米国単独で、毎年、百万を超える新たな症例が同定される。単独または組合せで、癌細胞を阻害するように作用する新たな薬物の同定は進歩している。しかし、腫瘍は、化学療法薬物に対して頻繁に耐性になる。従って、癌治療において使用するための、新たでかつより強力な薬物を同定する不断の必要性が存在する。
【００１５】
（１．本発明）
細胞性粘菌Ｄｉｃｔｙｏｓｔｅｌｉｕｍ  ｄｉｓｃｏｉｄｅｕｍは、化学療法薬物に対する細胞応答の分析を受けやすい系を提供する。比較的単純なハプロイド生物であるにもかかわらず、この生物は、より複雑な生物において見られる細胞の生理機能および発生の多くの局面を示し、従って、より高等な生物を用いては不可能な、複雑化した遺伝的応答の研究を可能にする。本発明者らは、Ｄｉｃｔｙｏｓｔｅｌｉｕｍの分子生物学の知識を、癌および良性過剰増殖性疾患に対して用いられ得る薬剤について作製されたスクリーニングアッセイに利用することを提案する。
【００１６】
このアッセイは、ヌクレオチド除去修復（ＮＥＲ）経路における２つの異なる遺伝子（ｒｅｐＢ、ｒｅｐＤ）および塩基除去修復（ＢＥＲ）遺伝子ＡＰＥの発現に焦点を当てる。これらの遺伝子の発現は、この薬剤の細胞傷害性（ｃｙｔｏｔｏｘｃｉｔｙ）に相関する。このアッセイについて３つの異なる結果が想定される：
細胞傷害性であるが、ｒｅｐＢ、ｒｅｐＤまたはＡＰＥの発現を誘導しない化合物：化合物は、修復遺伝子の発現を誘導しないので、抗癌薬物として有用である；
細胞傷害性ではないが、ｒｅｐＢ、ｒｅｐＤまたはＡＰＥの発現を誘導する化合物：このクラスの化合物は、ＤＮＡ修復を誘導することによって癌を予防するために用いられる抗癌薬物候補である；および
ｒｅｐＢ、ｒｅｐＤまたはＡＰＥの発現を抑制する化合物：このクラスの化合物は、迅速に増殖する細胞を優先的にもたらし、そしてＤＮＡ損傷剤に対してこれらをより感受性にする。
このアッセイの活用は、以下の頁に詳細に記載される。
【００１７】
（２．Ｄｉｃｔｙｏｓｔｅｌｉｕｍ  ｄｉｓｃｏｉｄｅｕｍ）
Ｄｉｃｔｙｏｓｔｅｌｉｕｍは、比較的単純な真核生物であるが、高等多細胞生物の細胞特性および発生特性を示す。Ｄｉｃｔｙｏｓｔｅｌｉｕｍとヒトとの間には、個々のタンパク質、酵素および生化学的経路（ＤＮＡ複製および細胞周期制御を含む）の高度の進化的保存が存在する。Ｄｉｃｔｙｏｓｔｅｌｉｕｍは、比較的小さなゲノム（３５ｍｂ）を有し、そしてヒト細胞のように、原形質膜を有し、細胞壁はない。実験的に操作され得る容易さによって、Ｄｉｃｔｙｏｓｔｅｌｉｕｍは、細胞および発生生物学の研究について好ましい生物となった。
【００１８】
Ｄｉｃｔｙｏｓｔｅｌｉｕｍは、単細胞であり、そしてハプロイドである（このことは、遺伝解析を容易にする）。単一細胞は液体培地中で培養され、有糸分裂する。この有糸分裂的増殖は、適切な栄養供給が存在する限り、発生相にけっして侵入することなく、無期限に進行し得る。食物供給源が枯渇するかまたは除去された場合、この細胞は、最終的に環境耐性の胞子を形成する、多細胞発生周期を開始する（Ｋｅｓｓｉｎ，２０００；Ｌｏｏｍｉｓ，１９８２）。増殖および発生は、この生物においては相互に排他的であること、ならびに本発明は、対数分裂する単細胞について実施されることに留意すべきである。
【００１９】
数百のＤｉｃｔｙｏｓｔｅｌｉｕｍ遺伝子およびそれらの産物は、詳細に研究されている。ゲノムプロジェクトは、見積もられた１４，０００個の遺伝子のうちの４分の３を既に同定しており、そしてｃＤＮＡは容易に入手可能である。Ｄｉｃｔｙｏｓｔｅｌｉｕｍは、化学誘引物質に対してどのようにして細胞が移動するかを制御するシグナル伝達機構、細胞の移動を担う細胞骨格機構、細胞質分裂、エンドサイトーシスの基礎にある機構、および調節されたタンパク質分泌を研究する際に特に有用である。標準的手順は、遺伝子の欠失、交換および過剰発現、ならびに挿入変異誘発のための制限酵素媒介挿入方法（これは、変異体中の影響を受けた遺伝子の同定を可能にする）について存在する。細胞の増殖、保存および生存率の決定のための標準的な方法は充分に記載されている（ＫｕｓｐａおよびＬｏｏｍｉｓ，１９８７；Ｇａｒｃｉａら，２０００；Ｓｕｓｓｍａｎ，１９８７）。
【００２０】
多数の研究は、有糸分裂するＤｉｃｔｙｏｓｔｅｌｉｕｍ細胞におけるＤＮＡ修復の基本的状況を提供する。これらの研究によって、γ照射に対して種々の程度の感受性増大を示した一連の変異体が作製され、そして擬似有性的遺伝分析によって、これらの変異体は、１１の相補グループに分けられた。しかし、Ｄｉｃｔｙｏｓｔｅｌｉｕｍ  ｄｉｓｃｏｉｄｅｕｍにおける分子相補についての系がその当時存在しなかったことに起因して、変異した遺伝子は全く同定されなかった。これらのγ照射感受性変異体はしばしば、ＵＶ照射および他のＤＮＡ損傷化学物質（例えば、４−ＮＱＯ（４−ニトロキノリン−１−オキシド）およびブレオマイシン）に対する並行感受性もまた示したが、この交叉耐性についての分子的基礎もまた未だ理解されていない（Ｄｅｅｒｉｎｇ，１９８８）。
【００２１】
（３．スクリーニングのための分子標的としてのヌクレオチド除去修復遺伝子および塩基除去修復遺伝子）
ヌクレオチド除去修復（ＮＥＲ）は、重要な細胞防御機構であり、これは、ＵＶ光または化学薬剤によって引き起こされたＤＮＡ損傷を除去することによって、ゲノムの完全性を保護する。ＮＥＲは、多段階経路であり、この経路の個々の成分における欠損は、損なわれたＤＮＡ修復および増大したＵＶ感受性をもたらす（Ｓａｎｃａｒ，１９９６）。細胞融合実験は、８個の相補グループを同定した（ＸＰ−Ａ−Ｇおよび改変体群ＸＰ−Ｖ）。これらの相補グループの大部分は、ＮＥＲ経路の特定の位置と相関付けられており、そしてこれらの群の大部分についての対応する遺伝子はクローニングされている。一般に、これらの遺伝子は、種を超えて非常に高い程度の保存を示すが、種間相補は制限されており、このことは、ＮＥＲに必要な特定のタンパク質−タンパク質相互作用が各生物について独特であることを暗示する（Ｋｒａｅｍｅｒら，１９９４；Ｆｒｉｅｄｂｅｒｇら，１９９５）。
【００２２】
ＮＥＲは、活発に転写される遺伝子のテンプレート鎖において優先的に生じる（Ｈａｎａｗａｌｔ，１９９４；ＨａｎａｗａｌｔおよびＭｅｌｌｏｎ，１９９３）。転写と修復との間のこの機構的関連は、転写開始複合体ホロ−ＴＦＩＩＨおよび修復複合体（リペアロソーム（ｒｅｐａｉｒｏ−ｓｏｍｅ））が、共通の６個のポリペプチドのコアであるＴＦＩＩＨ−コアを共有するという事実の結果である（Ｄｒａｐｋｉｎら，１９９４；ＳｗｅｄｅｒおよびＨａｎａｗａｌ，１９９４；Ｓｖｅｊｓｔｒｕｐら，１９９５；Ｖａｎ  Ｖｕｕｒｅｎら，１９９４）。現在の考えは、転写が損傷部位で失速した場合、失速した伸長複合体について高い親和性を有する共役因子が、修復複合体を補充するというものである。修復が達成されたならば、ＴＦＩＩＨ−コアは、開始複合体の一部となって、転写が再開される（Ｆｒｉｅｄｂｅｒｇ，１９９６）。
【００２３】
ＸＰＢおよびＸＰＤはそれぞれ、酵母ＲＡＤ２５／ＳＳＬ２遺伝子（Ｐａｒｋら，１９９２；ＧｕｌｙａｓおよびＤｏｎａｈｕｅ，１９９２）およびＲＡＤ３遺伝子（Ｈｉｇｇｉｎｓら，１９８３）のホモログである。両方の遺伝子は、ＳＦ２スーパーファミリーのＤＮＡヘリカーゼをコードする。ＸＰＢタンパク質は３’→５’方向で機能し、そしてＸＰＤは５’→３’で機能する。これらの両方のポリペプチドは共通のＴＦＩＩＨコアの一部であり、そして両方ともＲＮＡポリメラーゼＩＩ媒介転写およびＮＥＲの両方に関与することが示されている（Ｄｒａｐｋｉｎら，１９９４；Ｖａｎ  Ｖｕｕｒｅｎら，１９９４，Ｇｕｚｄｅｒら，１９９４；１９９５）。ＸＰＢおよびＸＰＤにおける変異は、このポリペプチドのどの機能ドメインが変更されるかに依存して、ＸＰ単独または組合されたＸＰ／ＣＳ（コケーン症候群）もしくはＸＰ／ＴＴＤ（裂毛症）のいずれかの多様な臨床的表現型をもたらし得る（Ｂｒｏｕｇｈｔｏｎら，１９９５；Ｌｅｈｍａｎｎ，１９９５；Ｔａｋａｙａｍａら，１９９５）。これらの転写関連遺伝子における変化が次いで、発生の特定の段階について重要である下流遺伝子の特定のサブセットの発現の速度および／または程度の変更をもたらすことが可能である。
【００２４】
塩基除去修復（ＢＥＲ）もまた、ＤＮＡグリコシラーゼ（ｇｌｙｃｏｓｙｌａｓｅ）酵素によって開始される多段階経路である。これらの酵素は、ＤＮＡの塩基を改変して、無プリン（ａｐｕｒｉｎｉｃ）または無ピリミジン（ａｐｙｒｉｍｉｄｉｎｉｃ）（ＡＰ）部位と呼ばれる塩基喪失部位を作製する。これらのＡＰ部位は次いで、ＡＰエンドヌクレアーゼ（ａｐｕｒｉｎｉｃ／ａｐｙｒｉｍｉｄｉｎｉｃ  ｅｎｄｏｎｕｃｌｅａｓｅｓ）についての基質として役立ち、ＡＰエンドヌクレアーゼは、ＤＮＡに切開部またはニックを作製し、従って、ＤＮＡを、その後の損傷除去、そしてＤＮＡポリメラーゼおよびＤＮＡリガーゼによる最終的修復のために準備する。
【００２５】
本発明者らは、Ｄｉｃｔｙｏｓｔｅｌｉｕｍ中の特定のＮＥＲ関連遺伝子およびＢＥＲ関連遺伝子が、潜在的抗癌薬物についてのスクリーニングアッセイにおいて標的として用いられ得ることを決定した。これらの遺伝子としては、ｒｅｐＢおよびｒｅｐＤ（これらは、ＸＰＢおよびＸＰＤのＤＮＡヘリカーゼのホモログである（Ｌｅｅら，１９９７ａ））ならびにＡＰＥ（これは、ＡＰエンドヌクレアーゼである（Ｆｒｅｅｌａｎｄら，１９９６））が挙げられる。候補物質によって誘導される、これらの遺伝子産物の発現または関連したｒｅｐＢ、ｒｅｐＤおよびＡＰＥのプロモーターの制御下のスクリーニング可能なマーカーの発現における変化を評価し、そしてスクリーニング可能なマーカーの発現におけるこれらの変化をこの物質の細胞傷害性に対して相関させることによって、上記の結果のどれが、各候補物質に対する暴露の結果であるかを決定し得、それゆえ、癌化学療法および癌化学予防におけるこの薬剤の存在的用途を決定し得る。
【００２６】
（Ａ．ＲｅｐＢ／ＲｅｐＤ）
ＤｉｃｔｙｏｓｔｅｌｉｕｍのｒｅｐＢ遺伝子（ＧｅｎＢａｎｋ  Ｕ７７０６５）およびｒｅｐＤ遺伝子（ＧｅｎＢａｎｋ  Ｕ７７０６６）は、本発明者らによって最初に報告され（Ｌｅｅら，１９９７ａ）、そしてそれぞれ、酵母のＲＡＤ２５遺伝子およびＲＡＤ３遺伝子とのハイブリダイゼーションによって同定された。ｒｅｐＢについての３．７ｋｂのＢｇｌＩＩ−ＣｌａＩフラグメント（ｐＳＫＳＬ５）およびｒｅｐＤについての４．３ｋｂのＣｌａＩ−ＰｓｔＩフラグメント（ｐＳＫＳＬ１１）を、スクロース勾配分画ＤＮＡからクローニングした。
【００２７】
ｒｅｐＢ。ｒｅｐＢ遺伝子を取り囲む３０９３ｂｐの配列をクローニングした。このゲノムクローンは、２５７８ｂｐ長であり、そしてゲノム配列を、ＲＴ−ＰＣＲＴＭによって得られたｃＤＮＡ配列に対して比較することによって決定したところ、１７５ｂｐのイントロンを１つ、１２５位〜２９９位に含んだ。ｒｅｐＢは、Ｄｉｃｔｙｏｓｔｅｌｉｕｍのゲノムの第３染色体にマッピングされた。配列決定は、５’非翻訳領域におけるいくつかの推定ＴＡＴＡ配列、ならびに３’末端の複数のＡＡＵＡＡＡポリアデニル化部位を明らかにした。２つのエキソンは、ヒトＸＰＢタンパク質（５４％）、Ｓａｃｃｈａｒｏｍｙｃｅｓ  ｃｅｒｅｖｉｓｉａｅ  Ｒａｄ２５タンパク質（５３％）、Ｄｒｏｓｏｐｈｉｌａ  Ｈａｙｗｉｒｅタンパク質（５１％）およびａｒａｂｉｄｏｐｓｉｓ  ＸＰＢａｒａタンパク質（６０％）と相同性を共有する推定の９０ｋＤａポリペプチドをコードする。
【００２８】
ｒｅｐＤ。ｒｅｐＤ領域を取り囲む２７６２ｂｐを配列決定した。この遺伝子は、イントロンを含まず、そしてＤｉｃｔｙｏｓｔｅｌｉｕｍの第１染色体にマッピングされた。２３３１ｂｐのオープンリーディングフレームは、８８ｋＤａの推定ポリペプチドをコードする。推定のＲｅｐＤタンパク質は、ヒトＸＰＤタンパク質（５４％）、Ｓ．ｃｅｒｅｖｉｓｉａｅ  Ｒａｄ３タンパク質（５０％）、Ｓ．ｐｏｍｂｅ  ｒｈｐ３タンパク質（５０％）、チャイニーズハムスター修復交叉相補２（Ｅｘｃｉｓｉｏｎ  Ｒｅｐａｉｒ  Ｃｒｏｓｓ  Ｃｏｍｐｌｅｍｅｎｔｉｎｇ  ２）（ＥＲＣＣ２）タンパク質（５３％）および魚のＸ．ｍａｃｕｌａｔｕｓ  ＸＰＤタンパク質（５２％）と相同性を共有する。
【００２９】
推定されたｒｅｐＢタンパク質およびｒｅｐＤタンパク質の両方は、７個全ての保存されたヘリカーゼドメインを含む。ＲｅｐＢタンパク質およびＲｅｐＤタンパク質、ならびにそれらの酵母対応物および哺乳動物対応物の間には、これらの全てのドメイン中に、そして最も顕著には領域Ｉおよび領域ＩＩ（これらは、Ｗａｌｋｅｒの「Ａ型」コンセンサス配列（ＧｏｒｂａｌｅｎｙａおよびＫｏｏｎｉｎ，１９９３；ＬｏｈｍａｎおよびＢｊｏｒｎｓｏｎ，１９９６）のＡモチーフおよびＢモチーフである）中に非常に高い相同性が存在する。領域Ｉ中のＮＴＰ（ヌクレオチド三リン酸）結合部位は、４つ全てのＸＰＢ関連タンパク質においてＧＡＧＫＳ／Ｔを、そして全てのＸＰＤ関連タンパク質においてＧＴＧＫＴを含む。領域ＩＩにおけるＭｇ＋＋結合部位は、全てのＸＰＢ関連タンパク質においてＤＥＶＨを、そして全てのＸＰＤ関連タンパク質においてＤＥＡＨを含む。これらの結果は、両方のタンパク質が、ヘリカーゼのＳＦ２スーパーファミリーにおけるＤＥｘＨ含有タンパク質のサブグループのメンバーであることを示す。さらに、ＲｅｐＢタンパク質は、ＸＰＢ／ＲＡＤ２５タンパク質の他の同定されたドメイン（すなわち、このタンパク質のＮ末端における推定核局在化部位、ＤＮＡ結合ドメインおよび３つの酸性ドメイン）において高い配列保存を示す。
【００３０】
（Ｂ．ＡＰＥ）
ＡＰＥ遺伝子を含むＤｉｃｔｙｏｓｔｅｌｉｕｍ  ｃＤＮＡ（ＧｅｎＢａｎｋ  Ｕ３１６３１；Ｆｒｅｅｌａｎｄら，１９９６）の配列決定は、塩基１８４２〜塩基２９２４のオープンリーディングフレームを明らかにした。ゲノムＤＮＡ由来のコード配列と１８３６〜２０６１のｃＤＮＡとの一致は、この遺伝子の５’部分にはイントロンがないことを明らかにした。この配列によって、４１，２２５Ｄａの分子量を有する３６１アミノ酸のタンパク質が予測される。推定アミノ酸配列は、ＡＰエンドヌクレアーゼの主なヒト／Ｅ．ｃｏｌｉエキソヌクレアーゼファミリーと高い相同性を示す。例えば、Ｄｉｃｔｙｏｓｔｅｌｉｕｍタンパク質のＣ末端２５７アミノ酸を用いてヒト細胞のＡＰＥエンドヌクレアーゼ（ＲＥＦ１とも呼ばれる）に対する４７％の同一性および６４％の類似性が存在する。Ｎ末端の１０４個のアミノ酸は、他のＡＰエンドヌクレアーゼと低い相同性しか示さない。しかし、アミノ酸５０〜８０は、種々の種由来の高移動度群１（ＨＭＧ）クロマチンタンパク質のアミノ酸１７０〜２００に対して、７５％の構造的類似性を有する。アミノ酸２０〜８０は、多くのヌクレオリンのアミノ酸１９０〜２５０に対して６５％の類似性を有する。グルタミン酸リッチドメインが、核輸送因子として、またはＤＮＡ結合タンパク質についての非特異的相互作用部位として作用することが示唆されている。短い潜在的核局在化シグナルＫＫＲＫもまた、アミノ酸４１〜４４に示される。直接的な証拠は存在しないが、ＡＰＥの核局在化が生じるという推測をこれらのＮ末端ドメインが可能にすることが議論されている。
【００３１】
（Ｃ．遺伝子発現に対するＤＮＡ損傷の影響）
Ｄｉｃｔｙｏｓｔｅｌｉｕｍ細胞をＵＶに暴露することによって、生存率の喪失がもたらされる。さらに、ｒｅｐ遺伝子の発現は、細胞をＵＶ光に暴露することによって影響される。対数的に増殖する細胞を異なるフルエンスで処理した場合、ＮＥＲ遺伝子発現における変化は、迅速で、用量依存性で、かつ一過性である。ｒｅｐＢ遺伝子およびｒｅｐＤ遺伝子の場合、本発明者らは、同族ｍＲＮＡのレベルが基底レベルから１０分以内に上昇して、１時間以内にピークに達し、次いで迅速に減少して２時間までに基底レベルに戻ることを示した（Ｙｕら，１９９８）。ＤｉｃｔｙｏｓｔｅｌｉｕｍにおけるＵＶ誘導性の同様の知見は、ＡＰエンドヌクレアーゼ遺伝子について報告されている（Ｆｒｅｅｌａｎｄら，１９９６）。
【００３２】
この研究は、シスプラチンの効果にまで広げられた（Ｙｕら，１９９８）。３００μＭシスプラチンでは、細胞の生存率は、大きさが３桁低減される。ＵＶを用いた場合と同様に、ｒｅｐＢおよびｒｅｐＤのｍＲＮＡのレベルは、シスプラチン処置後に基底レベルから迅速に上昇する。本発明者らは、これらの遺伝子ならびにＮＥＲに関与する他の遺伝子を迅速に調節する能力が、ＵＶおよび化学物質によるＤＮＡ損傷に対するＤｉｃｔｙｏｓｔｅｌｉｕｍの耐性を少なくとも部分的に担うと仮定した。
【００３３】
（４．スクリーニングアッセイ）
従って、本発明に従って、ｒｅｐＢ、ｒｅｐＤおよび／またはＡＰＥの遺伝子の発現を変化させるかまたは変化させず、かつ、Ｄｉｃｔｙｏｓｔｅｌｉｕｍ  ｄｉｓｃｏｉｄｅｕｍの細胞に対して細胞傷害性であるかまたは細胞傷害性ではない薬剤を同定するための方法が提供される。これらのアッセイは、候補物質の大きなライブラリーのランダムスクリーニングを含み得る；あるいは、これらのアッセイを用いて、これらの候補物質をＤＮＡ損傷性および／または細胞傷害性（しかしこれらの特徴に限定されない）にすると考えられる構造的特徴を目指して目視で選択された特定のクラスの化合物に焦点を当て得る。
【００３４】
潜在的化学療法剤または化学予防剤を同定するために、一般に、候補薬剤の存在下および非存在下において、ｒｅｐＢ、ｒｅｐＤおよび／またはＡＰＥの発現のレベルを決定し、そしてＤｃｔｙｏｓｔｅｌｉｕｍ  ｄｉｓｃｏｉｄｅｕｍ細胞の生存率を決定する。例えば、方法は一般に、以下：
（ａ）候補薬剤を提供する工程；
（ｂ）候補薬剤で適切な細胞を処理する工程；
（ｃ）工程（ｂ）の細胞においてｒｅｐＢ、ｒｅｐＤおよび／またはＡＰＥの発現を測定する工程；
（ｄ）工程（ｃ）におけるｒｅｐＢ、ｒｅｐＤおよび／またはＡＰＥの発現を、この候補薬剤で処理していない細胞におけるｒｅｐＢ、ｒｅｐＤおよび／またはＡＰＥの発現と比較する工程；ならびに
（ｅ）この候補薬剤での細胞の処理後の細胞生存率を評価することによってこの候補薬剤の細胞傷害性を決定する工程
を包含し、
ここで、処理された細胞において測定された特徴と処理されていない細胞において測定された特徴との差異は、この候補薬剤が潜在的な化学療法剤または化学予防剤であることを示す。
【００３５】
この候補薬剤の非存在下におけるｒｅｐＢ、ｒｅｐＤおよび／またはＡＰＥの発現をみるためのコントロール実験を実際に実施することがしばしば有用である。もちろん、本発明の全てのスクリーニング方法は、有効な候補が見出されないかもしれないという事実にもかかわらず、それ自体有用であることが理解される。本発明は、このような候補を見出す方法だけでなく、このような候補をスクリーニングするための方法を提供する。
【００３６】
発現の変更についてのネガティブコントロールもまた、有用であることがわかり得る。このようなコントロールは、このような遺伝子（例えば、アクチン、ジスコイジンＩおよびアルカリホスファターゼ）の発現をアッセイすることを含む。これらの遺伝子はＤＮＡ損傷にも修復にも無関係なので、これらは、この試験薬剤によって影響されないはずである。
【００３７】
本発明の別の重要な局面は、細胞傷害性についてアッセイすることである。細胞の生存率のアッセイは、種々の異なる手段（クローンプレーティング、トリパンブルー排除、フィロキシンＢ色素排除およびＤＮＡの分解／ラダー化）で実施され得る。
【００３８】
本明細書で使用される場合、用語「候補物質」とは、ｒｅｐＢ、ｒｅｐＤおよび／またはＡＰＥの発現を潜在的に調節し得る任意の分子をいう。この候補物質は、タンパク質もしくはそのフラグメント、低分子または核酸分子すら含めた、任意の分子であり得る。これらは、天然化合物、合成化合物または天然化合物の合成改変物であり得る。「合理的薬物設計」は、公知のインヒビターおよびアクチベーターとの比較だけでなく、標的分子の構造に関する予測を含む。合理的薬物設計の目標は、生物学的に活性なポリペプチドまたは標的化合物の構造アナログを生成することである。このようなアナログを作製することによって、天然分子よりも活性が高いかまたは安定である、変化に対して異なる感受性を有するか、または種々の他の分子の機能に影響を与え得る、薬物を作り出すことが可能である。１つのアプローチにおいて、標的分子またはそのフラグメントについての三次元構造を作製する。これは、Ｘ線結晶学、コンピュータモデリングまたは両方のアプローチの組合せによって達成され得る。
【００３９】
種々の商業的供給源または非商業的供給源から、有用な化合物の同定を「強引に同定（ｂｒｕｔｅ  ｆｏｒｃｅ）」しようと試みる際に有用な薬物についての基本的判断基準を満たすと考えられる低分子ライブラリーを簡単に獲得し得る。このようなライブラリー（組み合わせにより作製されたライブラリーを含む）のスクリーニングは、多数の関連した（および無関係の）化合物を活性についてスクリーニングするための迅速かつ効率的な方法である。組合せによるアプローチはまた、活性だが他の点で望ましくない化合物で形成された第二、第三および第四の世代の化合物を生成することによって、これら自体、潜在的薬物の迅速な進化に役立つ。
【００４０】
候補化合物は、天然に存在する化合物のフラグメントもしくは一部分を含み得るか、または、他の場合には不活性である公知の化合物の活性な組合せとして見出され得る。天然の供給源（例えば、動物、細菌、真菌、植物供給源（葉および樹皮を含む）ならびに海洋サンプル）から単離された化合物が、潜在的に有用な薬学的薬剤の存在について候補としてアッセイされ得ることが提案される。スクリーニングされるべき薬学的薬剤もまた、化学組成物または人工化合物から誘導され得るかまたは合成され得ることが理解される。従って、本発明によって同定された候補物質が、公知のインヒビターまたは刺激物質から出発する合理的薬物設計を通して設計され得る、ペプチド、ポリペプチド、ポリヌクレオチド、低分子または任意の他の化合物であり得ることが理解される。
【００４１】
（５．核酸の検出）
１つの実施形態では、本発明は、ｍＲＮＡレベルでみることによる、標的遺伝子の発現における変化についてのスクリーニングを含む。これは、ノーザンブロッティング、定量的ＲＴ−ＰＣＲＴＭまたは「リアルタイム」ＰＣＲＴＭを含む、多数の異なる手順のうちの１つを含む。これらの最も基本的な局面では、これらの方法は、標的配列に対するプローブ配列のハイブリダイゼーションを頼りにする。この実施形態の種々の局面は、以下に提供される。
【００４２】
（Ａ．ハイブリダイゼーション）
長さが１５ヌクレオチド以上のプローブまたはプライマーの使用は、安定かつ選択的な二重鎖分子の形成を可能にする。長さが２０塩基を超える連続したストレッチにわたって相補的配列を有する分子は、得られるハイブリッド分子の安定性および／または選択性を増大させるために、一般的に好ましい。このようなフラグメントは、例えば、化学的手段によってフラグメントを直接合成することによって、または選択された配列を組換え体産生のために組換えベクターに導入することによって、容易に調製され得る。
【００４３】
従って、本発明のヌクレオチド配列は、ＤＮＡおよび／もしくはＲＮＡの相補的ストレッチと二重鎖分子を選択的に形成する能力、またはサンプルからのＤＮＡもしくはＲＮＡの増幅のためのプライマーを提供する能力に関して用いられ得る。想定される適用に依存して、種々のハイブリダイゼーション条件を用いて、標的配列についてのプローブまたはプライマーの種々の程度の選択性を達成することを所望する。
【００４４】
高い選択性を必要とする適用に関して、代表的に、比較的高いストリンジェンシー条件を用いてハイブリッドを形成することを所望する。例えば、約０．０２Ｍ〜約０．１０ＭのＮａＣｌで、約５０℃〜約７０℃の温度によって提供されるような、比較的低い塩条件および／または高い温度条件。このような高ストリンジェンシー条件は、プローブまたはプライマーとテンプレートまたは標的鎖との間の不一致を、あったとしてもほとんど許容せず、そして特定の遺伝子を単離するためまたは特定のｍＲＮＡ転写産物を検出するために特に適切である。条件は、漸増量のホルムアミドの添加によって、よりストリンジェントにされ得ることが一般に認識される。
【００４５】
条件は、塩濃度を上昇させることおよび／または温度を低下させることによってより低いストリンジェントにされ得る。例えば、中程度のストリンジェンシー条件は、約０．１Ｍ〜０．２５ＭのＮａＣｌで約３７℃〜約５５℃の温度によって提供され得、一方、低ストリンジェンシー条件は、約０．１５Ｍ〜約０．９Ｍの塩で、約２０℃〜約５５℃の範囲にわたる温度によって提供され得る。ハイブリダイゼーション条件は、所望の結果に依存して容易に操作され得る。
【００４６】
特定の実施形態では、本発明の規定された配列の核酸を、ハイブリダイゼーションを決定するための適切な手段（例えば、標識）と組み合わせて用いることが有利である。広範な種々の適切な指示手段は当該分野で公知であり、このような手段としては、蛍光リガンド、放射性リガンド、酵素リガンドまたは検出され得る他のリガンド（例えば、ビオチン）が挙げられる。好ましい実施形態では、ビオチン化プローブを検出するために、放射性試薬または環境的に好ましくない他の試薬の代わりに蛍光標識または酵素タグ（例えば、アルカリホスファターゼまたはペルオキシダーゼ）を用いることを所望し得る。酵素タグの場合、相補的核酸含有サンプルとの特異的ハイブリダイゼーションを同定するために、視覚的または分光光度学的に検出され得る検出手段を提供するために用いられ得る比色指示基質が公知である。
【００４７】
一般に、本明細書中に記載されるプローブまたはプライマーが、溶液ハイブリダイゼーションにおける試薬（ＰＣＲＴＭにおけるような）として、対応する遺伝子の発現の検出のために、ならびに固相を用いる実施形態において有用であることが想定される。固相を含む実施形態において、試験ＲＮＡまたは試験ＤＮＡは、選択されたマトリクスまたは表面に吸着されるかさもなければ固定される。次いで、この固定された一本鎖核酸は、所望の条件下で、選択されたプローブとのハイブリダイゼーションに供される。選択される条件は、特定の環境に依存する（例えば、Ｇ＋Ｃ含量、標的核酸の型、核酸供給源、ハイブリダイゼーションプローブの大きさなどに依存する）。目的の特定の適用のためのハイブリダイゼーション条件の最適化は、当業者に周知である。ハイブリダイズした分子を洗浄して非特異的に結合したプローブ分子を除去した後、ハイブリダイゼーションは検出され、そして／または結合した標識の量を決定することによって定量される。代表的な固相ハイブリダイゼーション方法は、米国特許第５，８４３，６６３号、同第５，９００，４８１号および同第５，９１９，６２６号に開示される。本発明の実施において用いられ得る他のハイブリダイゼーション方法は、米国特許第５，８４９，４８１号、同第５，８４９，４８６号および同第５，８５１，７７２号に開示される。明細書のこの節において同定したこれらおよび他の参考文献の関連部分は、本明細書中に参考として援用される。
【００４８】
（Ｂ．核酸の増幅）
増幅のためのテンプレートとして用いられる核酸は、細胞から標準的な方法論（Ｓａｍｂｒｏｏｋら，１９８９）に従って単離され得る。特定の実施形態では、分析は、細胞全体のホモジネートについて、テンプレート核酸の実質的な精製を行うことなく行われる。核酸は、ゲノムＤＮＡまたは分画したＲＮＡもしくは細胞全体のＲＮＡであり得る。ＲＮＡが用いられる場合、最初にＲＮＡを相補的ＤＮＡに変換することが所望され得る。
【００４９】
用語「プライマー」は、本明細書中で使用される場合、テンプレート依存性プロセスにおいて新生核酸の合成を開始し得る任意の核酸を包含することを意味する。プライマーは、二本鎖形態および／または一本鎖形態で提供され得るが、一本鎖形態がＰＣＲＴＭのために好ましい。
【００５０】
ｒｅｐＢ、ｒｅｐＤおよびＡＰＥに対応する核酸に選択的にハイブリダイズするように設計されたプライマー対を、選択的ハイブリダイゼーションを可能にする条件下で、テンプレート核酸と接触させる。所望の適用に依存して、プライマーに対して完全に相補的である配列に対するハイブリダイゼーションのみを可能にする、高ストリンジェンシーハイブリダイゼーション条件が選択され得る。一旦ハイブリダイズすると、テンプレート−プライマー複合体は、テンプレート依存性核酸合成を促進する１以上のポリメラーゼと接触する。「サイクル」とも呼ばれる、複数回の増幅は、充分な量の増幅産物が産生されるまで行われる。
【００５１】
増幅産物は、検出または定量され得る。特定の適用では、検出は、視覚手段によって行われ得る。あるいは、検出は、取り込まれた放射性標識または蛍光標識の化学発光、放射性シンチグラフィを介した産物の間接的同定を含み得る。
【００５２】
リアルタイムＰＣＲＴＭは、熱ブロックの代わりに空気を用いてサンプルを加熱することおよび高い表面対容積比を有するキャピラリーチューブ中でＤＮＡを増幅することによって、ずっと速くＤＮＡを増幅する。リアルタイムＰＣＲＴＭは、同じ装置において増幅および蛍光検出を組み合わせ、そしてサンプルがＰＣＲＴＭ増幅の各回の後に分析されるのを可能にする。標的ＤＮＡ分子の最初の数は、蛍光標識されたＰＣＲＴＭ産物の蓄積の反応速度の分析を通して（定量的に）決定され得る。さらに、ＰＣＲＴＭ産物は、それらの融解挙動の分析によって特徴付けられ得、それによって、特異的アンプリコンと非特異的ＤＮＡフラグメントとの間の識別を可能にする。さらに、内部コントロールフラグメントは、プローブを用いて標的遺伝子と同じＰＣＲＴＭ反応において増幅され得、そして異なる遺伝子に特異的な異なる検出可能な発蛍光団を用いて標識され得る。３つの異なるフラグメントは、ＬｉｇｈｔＣｙｃｌｅｒＴＭ  Ｓｙｓｔｅｍを用いて同じ反応において増幅および検出され得る。なぜなら、このシステムは、３つの異なる波長で蛍光を読み取り得るからである（Ｒｏｃｈｅ  Ｄｉａｇｎｏｓｔｉｃ  Ｃｏｒｐｏｒａｔｉｏｎ，Ｉｎｄｉａｎａｐｏｌｉｓ，ＩＮ）。
【００５３】
多数のテンプレート依存性プロセスは、所定のテンプレートサンプル中に存在するオリゴヌクレオチド配列を増幅するために入手可能である。最もよく知られた増幅方法の１つは、米国特許第４，６８３，１９５号、同第４，６８３，２０２号および同第４，８００，１５９号、ならびにＩｎｎｉｓら，１９８８（これらの各々は、その全体が本明細書中に参考として援用される）に詳細に記載される、ポリメラーゼ連鎖反応（ＰＣＲＴＭと呼ばれる）である。
【００５４】
逆転写酵素ＰＣＲＴＭ増幅手順を実施して、増幅されたｍＲＮＡの量を定量し得る。ＲＮＡをｃＤＮＡへと逆転写する方法は、周知である（Ｓａｍｂｒｏｏｋら，１９８９を参照のこと）。逆転写のための代替的方法は、耐熱性ＤＮＡポリメラーゼを利用する。これらの方法は、ＷＯ  ９０／０７６４１に記載される。ポリメラーゼ連鎖反応の方法論は、当該分野で周知である。ＲＴ−ＰＣＲＴＭの代表的方法は、米国特許第５，８８２，８６４号に記載される。
【００５５】
増幅のための別の方法は、その全体が本明細書中に参考として援用される、欧州出願第３２０  ３０８号に開示される、リガーゼ連鎖反応（ｌｉｇａｓｅ  ｃｈａｉｎ  ｒｅａｃｔｉｏｎ；「ＬＣＲ」）である。米国特許第４，８８３，７５０号は、標的配列へとプローブ対を結合するための、ＬＣＲに類似する方法を記載する。ＰＣＲＴＭおよびオリゴヌクレオチドリガーゼアッセイ（ＯＬＡ）に基づく方法（米国特許第５，９１２，１４８号に開示される）もまた使用され得る。
【００５６】
本発明の実施のために用いられ得る標的核酸配列の増幅のための代替的方法は、米国特許第５，８４３，６５０号、同第５，８４６，７０９号、同第５，８４６，７８３号、同第５，８４９，５４６号、同第５，８４９，４９７号、同第５，８４９，５４７号、同第５，８５８，６５２号、同第５，８６６，３６６号、同第５，９１６，７７６号、同第５，９２２，５７４号、同第５，９２８，９０５号、同第５，９２８，９０６号、同第５，９３２，４５１号、同第５，９３５，８２５号、同第５，９３９，２９１号および同第５，９４２，３９１号、ＧＢ出願第２  ２０２  ３２８号、ならびにＰＣＴ出願ＰＣＴ／ＵＳ８９／０１０２５（これらの各々は、その全体が本明細書中に参考として援用される）に開示される。
【００５７】
ＰＣＴ出願ＰＣＴ／ＵＳ８７／００８８０に記載されるＱｂｅｔａ  Ｒｅｐｌｉｃａｓｅもまた、本発明において増幅方法として用いられ得る。この方法において、標的の領域に相補的な領域を有するＲＮＡの反復配列は、ＲＮＡポリメラーゼの存在下でサンプルに添加される。このポリメラーゼは、反復配列をコピーし、この反復配列は次いで検出され得る。
【００５８】
制限エンドヌクレアーゼおよびリガーゼを用いて、制限部位の一方の鎖においてヌクレオチド５’−［α−チオ］−三リン酸を含む標的分子の増幅を達成する等温増幅方法もまた、本発明における核酸の増幅において有用であり得る（Ｗａｌｋｅｒら，１９９２）。米国特許５，９１６，７７９に開示される標準的置換増幅（ＳＤＡ）は、複数回の鎖の置換および合成（すなわち、ニック翻訳）を含む、核酸等温増幅を実施する別の方法である。
【００５９】
他の核酸増幅手順としては、転写に基づく増幅システム（ＴＡＳ）（核酸配列に基づく増幅（ＮＡＳＢＡ）および３ＳＲ（Ｋｗｏｈら，１９８９；Ｇｉｎｇｅｒａｓら，ＰＣＴ出願ＷＯ  ８８／１０３１５（その全体が本明細書中に参考として援用される））を含む）が挙げられる。欧州出願第３２９  ８２２号は、本発明に従って用いられ得る、一本鎖ＲＮＡ（「ｓｓＲＮＡ」）、ｓｓＤＮＡおよび二本鎖ＤＮＡ（ｄｓＤＮＡ）を循環的に合成することを含む、核酸増幅プロセスを開示する。
【００６０】
ＰＣＴ出願ＷＯ  ８９／０６７００（その全体が本明細書中に参考として援用される）は、標的一本鎖ＤＮＡ（「ｓｓＤＮＡ」）に対するプロモーター領域／プライマー配列のハイブリダイゼーション、続いてこの配列の多くのＲＮＡコピーの転写に基づく核酸配列増幅スキームを開示する。このスキームは、循環的ではない、すなわち、新たなテンプレートは、得られるＲＮＡ転写産物から産生されない。他の増幅方法としては、「ＲＡＣＥ」および「片側ＰＣＲ（ｏｎｅ−ｓｉｄｅｄ  ＰＣＲ）」（Ｆｒｏｈｍａｎ，１９９０；Ｏｈａｒａら，１９８９）が挙げられる。
【００６１】
（Ｃ．核酸の検出）
任意の増幅の後、増幅産物を、テンプレートおよび／または過剰なプライマーから分離することが所望され得る。１つの実施形態では、増幅産物は、標準的な方法（Ｓａｍｂｒｏｏｋら，１９８９）を用いたアガロースゲル電気泳動、アガロース−アクリルアミドゲル電気泳動またはポリアクリルアミドゲル電気泳動によって分離される。分離された増幅産物は、切断され得、そしてさらなる操作のためにゲルから溶出され得る。低融点アガロースゲルを用いて、分離されたバンドは、ゲルを加熱することによって取り出され得、続いて核酸が抽出され得るかまたは市販の製品ＧＥＮＥＣＬＥＡＮＴＭ（Ｑ−ｂｉｏｇｅｎｅ）が使用され得る。
【００６２】
核酸の分離はまた、当該分野で公知のクロマトグラフ技術によってもたらされ得る。吸着クロマトグラフィー、分配クロマトグラフィー、イオン交換クロマトグラフィー、ヒドロキシルアパタイトクロマトグラフィー、分子篩クロマトグラフィー、逆相クロマトグラフィー、カラムクロマトグラフィー、濾紙クロマトグラフィー、薄層クロマトグラフィーおよびガスクロマトグラフィーならびにＨＰＬＣを含め、本発明の実施において用いられ得る多くの種類のクロマトグラフィーが存在する。
【００６３】
特定の実施形態では、増幅産物が可視化される。代表的な可視化方法は、エチジウムブロミドを用いたゲルの染色およびＵＶ光下でのバンドの可視化を含む。あるいは、増幅産物が放射定量標識ヌクレオチドまたは蛍光定量標識ヌクレオチドで全体的に標識される場合、分離された増幅産物は、Ｘ線フィルムに暴露され得るか、または適切な励起スペクトル下で可視化され得る。
【００６４】
１つの実施形態では、増幅産物の分離後、標識された核酸プローブを、増幅されたマーカー配列と接触させる。このプローブは、発色団に結合体化され得るが、放射性標識され得る。別の実施形態では、このプローブは、結合パートナー（例えば、ビオチンまたは検出可能な部分を保有する別の結合パートナー）に結合体化される。
【００６５】
本明細書中に参考として援用される米国特許第５，２７９，７２１号は、核酸の自動化された電気泳動および移行のための装置および方法を開示する。この装置は、ゲルの外部操作を伴わずに電気泳動およびブロッティングを可能にし、そして本発明による方法を実施するために理想的に適している。
【００６６】
本発明の実施において用いられ得る核酸検出の他の方法は、各々本明細書中に参考として援用される、米国特許第５，８４０，８７３号、同第５，８４３，６４０号、同第５，８４３，６５１号、同第５，８４６，７０８号、同第５，８４６，７１７号、同第５，８４６，７２６号、同第５，８４６，７２９号、同第５，８４９，４８７号、同第５，８５３，９９０号、同第５，８５３，９９２号、同第５，８５３，９９３号、同第５，８５６，０９２号、同第５，８６１，２４４号、同第５，８６３，７３２号、同第５，８６３，７５３号、同第５，８６６，３３１号、同第５，９０５，０２４号、同第５，９１０，４０７号、同第５，９１２，１２４号、同第５，９１２，１４５号、同第５，９１９，６３０号、同第５，９２５，５１７号、同第５，９２８，８６２号、同第５，９２８，８６９号、同第５，９２９，２２７号、同第５，９３２，４１３号および同第５，９３５，７９１号に開示される。
【００６７】
（Ｄ．ＲＮＡｓｅ保護）
特定の実施形態では、ｒｅｐＢ、ｒｅｐＤおよびＡＰＥのレベルは、ＲＮａｓｅ保護技術によって測定され得る。ｒｅｐＢ、ｒｅｐＤおよびＡＰＥについてのＤＮＡプローブは、規定された長さ（例えば、それぞれ、３００ｂｐ、３６０ｂｐおよび４２０ｂｐ）のものである。これらのプローブは、検出を可能にするためにタグ化される（上記を参照のこと）。あるいは、これらのプローブは、ランダムプライミング技術によって放射性標識される（当該分野で周知、そしてＬｅｅら，１９９７ａを参照のこと）。これらのプローブは、液体中で、分析されるＲＮＡサンプルに対してハイブリダイズされる。これらのプローブは規定された長さのものであり、それらの同族ＲＮＡ分子よりも短いので、一本鎖のＲＮＡは、ＤＮＡ−ＲＮＡ二重鎖の両側に隣接したままである。これらの一本鎖ストレッチのＲＮＡは、一本鎖特異的ＲＮａｓｅによって消化される。次いで、このＲＮＡ−ＤＮＡ二重鎖は熱により変性され、そしてＤＮＡフラグメントは、配列決定ゲルにおいて分離され、上記のサイズのＤＮＡフラグメントを分離し得る。結合したプローブの量は定量される（例えば、放射性標識されたプローブについてのホスホルイメーザー（ｐｈｏｓｐｈｏｒｉｍａｇｅｒ）を用いて）。この技術は、３つ全ての遺伝子（およびネガティブコントロール）が同時に流され得るという点で有用である。
【００６８】
（Ｅ．キット）
サンプル中の標的を検出するために必要とされる全ての必須の材料および／または試薬は、キットに一緒にまとめられ得る。これは一般に、本発明の実施において目的の個々の核酸（ｒｅｐＢ、ｒｅｐＤおよびＡＰＥを含む）に特異的にハイブリダイズするように設計されたプローブまたはプライマーを含む。また含まれるのは、核酸を増幅するために適切な酵素（種々のポリメラーゼ（逆転写酵素、Ｔａｑなど）を含む）、デオキシヌクレオチドおよび増幅のために必要な反応混合物を提供するための緩衝液であり得る。このようなキットはまた、特定の核酸または増幅産物の検出に適切な、酵素および他の試薬を含み得る。このようなキットは一般に、適切な方法で、各個々の試薬または酵素についての別個の容器、ならびに各プローブまたはプライマー対についての別個の容器を含む。
【００６９】
（６．検出系で操作された細胞）
別の実施形態では、本発明は、スクリーニング可能なマーカータンパク質を発現するように操作されたＤｉｃｔｙｏｓｔｅｌｉｕｍ  ｄｉｓｃｏｉｄｅｕｍ細胞の使用を含む。このマーカーは、適切なプロモーター（この場合、ｒｅｐＢ、ｒｅｐＤまたはＡＰＥ由来）によって調節される。従って、ｒｅｐＢ、ｒｅｐＤまたはＡＰＥの発現を直接測定するよりも、それらの発現についての代理物が用いられる。以下は、この実施形態についての関連する技術の考察を提供する。
【００７０】
（Ａ．スクリーニング可能なマーカータンパク質）
スクリーニング可能なマーカー遺伝子は、このマーカー遺伝子を発現する細胞に対して別個の表現型を付与する、従って、このような形質転換された細胞がこのマーカーを有さない細胞と区別されることを可能にする、遺伝子である。本発明では、これらの遺伝子は、適切なプロモーターおよび発現構築物（必要に応じて、ポリアデニル化配列、転写終結配列、内部リボソーム侵入部位、エンハンサーおよび複製起点のような他の調節エレメントを含む）に連結され、そして宿主細胞中に移入される。
【００７１】
用いられ得るスクリーニング可能なマーカーとしては、β−グルクロニダーゼ（ＧＵＳ）、β−ガラクトシダーゼまたはグリーン蛍光タンパク質が挙げられる。本発明における使用が意図される、さらなるスクリーニング可能なマーカーは、ｌｕｘ遺伝子によってコードされる、ホタルルシフェラーゼである。形質転換された細胞におけるｌｕｘ遺伝子の存在は、例えば、Ｘ線フィルム、シンチレーション計数、蛍光分光光度法、低光ビデオカメラ（ｌｏｗ−ｌｉｇｈｔ  ｖｉｄｅｏ  ｃａｍｅｒａ）、光子計数カメラ（ｐｈｏｔｏｎ  ｃｏｕｎｔｉｎｇ  ｃａｍｅｒａ）またはマルチウェルルミノメトリー（ｍｕｌｔｉｗｅｌｌ  ｌｕｍｉｎｏｍｅｔｒｙ）を用いて検出され得る。このシステムが、例えば、組織培養プレートにおける、生物発光についての集団スクリーニングについて開発され得ることもまた想像される。
【００７２】
（Ｂ．選択マーカータンパク質）
適切な操作された細胞の作製では、この場合、形質転換されたＤｉｃｔｙｏｓｔｅｌｉｕｍ  ｄｉｓｃｏｉｄｅｕｍ細胞の選択を可能にする、第２のマーカータンパク質を利用することを選択し得る。以下を含むがこれらに限定されない、多くの選択マーカー遺伝子は、本発明に関連して用いられ得る：Ｇ４１８を用いることについて選択されるｎｅｏ（ネオマイシン耐性）遺伝子（Ｎｅｌｌｅｎ，１９８４）、ブラスチシジンを用いることについて選択されるｂｓｒ（ブラスチシジン耐性）遺伝子（Ｓｕｔｏｈ，１９９３）、ハイグロマイシンを用いることについて選択されるハイグロマイシン耐性遺伝子（Ｅｇｅｌｈｏｆｆら，１９８９）、ウラシル栄養要求株からのウラシル原栄養株の選択を可能にするｐｙｒ  ５−６（ＵＭＰシンターゼ）遺伝子（Ｋａｌｐａｘｉｓら，１９９１）、ならびにチミジン栄養要求株からのチミジン原栄養株の選択を可能にするチミジル酸シンターゼ遺伝子（Ｃｈａｎｇら，１９８９）。当業者に周知の選択マーカーのさらなる例は、適用可能である。
【００７３】
（Ｃ．形質転換の方法）
本発明で用いるＤｉｃｔｙｏｓｔｅｌｉｕｍ細胞の形質転換のための核酸送達についての適切な方法は、エレクトロポレーションまたはリン酸カルシウム沈澱である。
【００７４】
（ｉ．エレクトロポレーション）
本発明の特定の実施形態では、核酸は、エレクトロポレーションを介して細胞小器官、細胞、組織または器官へと導入される。エレクトロポレーションは、高圧放電への細胞およびＤＮＡの懸濁物の暴露を含む。本発明のいくつかの改変物では、特定の細胞壁分解酵素（例えば、ペクチン分解酵素）を用いることで、標的レシピエント細胞が、エレクトロポレーションによる形質転換に対して、未処理細胞よりも感受性にされる（本明細書中に参考として援用される、米国特許第５，３８４，２５３号）。あるいは、レシピエント細胞は、機械的創傷による形質転換に対して、より感受性にされ得る。
【００７５】
このように、エレクトロポレーションを用いたＤｉｃｔｙｏｓｔｅｌｉｕｍ  ｄｉｓｃｏｉｄｅｕｍ細胞のトランスフェクションは、慣用的な手順である（Ｋｕｓｐａら，１９９２）。
【００７６】
（ｉｉ．リン酸カルシウム）
本発明の他の実施形態では、核酸は、リン酸カルシウム沈澱を用いて細胞へと導入される。このように、リン酸カルシウムを用いたＤｉｃｔｙｏｓｔｅｌｉｕｍ  ｄｉｓｃｏｉｄｅｕｍ細胞のトランスフェクションは、慣用的な手順である（Ｎｅｌｌｅｎら，１９８４）。
【００７７】
（７．実施例）
以下の実施例は、本発明の好ましい実施形態を実証するために含まれる。以下の実施例に開示される技術が、本発明の実施においてよく作用することが本発明者によって見出された技術を表し、従って、その実施について好ましい形態を構成すると考えられ得ることが当業者によって認識されるべきである。しかし、当業者は、本開示に照らして、開示される特定の実施形態において多くの変更がなされ得、そして本発明の趣旨および範囲から逸脱することなく、同様または類似の結果がさらに得られ得ることを認識すべきである。
【００７８】
（実施例１：細胞の増殖および維持）
Ｄｉｃｔｙｏｓｔｅｌｉｕｍ  ｄｉｓｃｏｉｄｅｕｍの増殖および維持についての標準的な方法を用いる（Ｓｕｓｓｍａｎ，１９８７）。無菌性増殖し得るＤｉｃｔｙｏｓｔｅｌｉｕｍ  ｄｉｓｃｏｉｄｅｕｍ株（例えば、ＡＸ４株）の細胞を、振盪ガラスフラスコ中のＨＬ−５栄養培地（ここで、これらは、指数的に分裂する）において培養する。細胞が３〜５×１０６細胞／ｍｌ（定常期は、１０７細胞／ｍｌである）に達した場合、細胞を継代培養する。本発明については、細胞が２〜５×１０６細胞／ｍｌ（対数期）の間にある場合、細胞を用いる。Ｄｉｃｔｙｏｓｔｅｌｉｕｍ  ｄｉｓｃｏｉｄｅｕｍ細胞を、５％ジメチルスルホキシドを含有するウマ血清中に細胞を懸濁した後、液体Ｎ２中で保存する。これらは、これらの条件下で、少なくとも２０年間生存可能である。ｒｅｐＢプロモーター、ｒｅｐＤプロモーターまたはＡＰＥプロモーターの制御下でレポーター遺伝子で安定に形質転換されたＤｉｃｔｙｏｓｔｅｌｉｕｍ  ｄｉｓｃｏｉｄｅｕｍ細胞を、理想的な様式でこのようにして増殖させ、維持し、そして保存する。
【００７９】
（実施例２：発現アッセイ）
１つの実施形態では、Ｄｉｃｔｙｏｓｔｅｌｉｕｍ  ｄｉｓｃｏｉｄｅｕｍ  ＡＸ４株細胞（１０６〜１０７）の等しいアリコートを、培養物（上記）から取り出し、そしてマルチウェルプレートに配置する。調べる薬剤を、二連のアッセイのために、２つのウェルの各々に添加する。２つのさらなるコントロールウェルは、この薬剤を溶解するために用いられる等しい容量の希釈剤を受ける。一定の期間の後、これらの細胞を各ウェルから取り出し、そして等しいサンプルを、生存率試験のために採取する（以下を参照のこと）。ＲＮＡを、残りの細胞から周知の方法（Ｓａｍｂｒｏｏｋら，１９８９）によって単離する。これらのＲＮＡサンプルを、ｒｅｐＢ、ｒｅｐＤおよびＡＰＥのｍＲＮＡのレベルについて、上記（上記の第５節）に詳細に記載されるハイブリダイゼーション方法および検出方法によってアッセイする。ノーザン分析の場合、サンプルを、ハイブリダイゼーション前にナイロン支持体上へスロットブロットし得る。処理した細胞におけるｒｅｐＢ、ｒｅｐＤおよびＡＰＥのｍＲＮＡのハイブリダイゼーションのレベルを、並行したコントロールの未処理細胞におけるレベルと比較する。これらは、上昇し得るか、下降し得るか、または基底レベルにとどまり得る。
【００８０】
別の実施形態では、ｒｅｐＢ、ｒｅｐＤまたはＡＰＥのプロモーターの制御下のレポーター遺伝子で安定に形質転換された細胞（上記の第６節）を含むＤｉｃｔｙｏｓｔｅｌｉｕｍ  ｄｉｓｃｏｉｄｅｕｍ培養物の等しいアリコートを培養物から取り出し、そして  マイクロタイタープレート中に配置する。調べる薬剤を、二連のアッセイのために、２つのウェルの各々に添加する。２つのさらなるコントロールウェルは、この薬剤を溶解するために用いられる等しい容量の希釈剤を受ける。一定の期間の後、細胞の等しいサンプルを、生存率試験のために各ウェルから取り出す（以下を参照のこと）。ｒｅｐＢ、ｒｅｐＤおよびＡＰＥの遺伝子の発現のレベルを、用いられるレポーター遺伝子についての基質（例えば、β−ガラクトシダーゼレポーターについてはＸ−ｇａｌ）を添加することによって、残りの細胞において測定する。処理した細胞におけるβ−ガラクトシダーゼ発現のレベルを、並行した未処理の細胞におけるレベルと比較する。さらに、これらは、上昇し得るか、下降し得るか、または同じままであり得る。
【００８１】
最初のアッセイでは、ｒｅｐＢ、ｒｅｐＤおよびＡＰＥの遺伝子発現に対する効果、ならびに異なる濃度の各薬剤の細胞傷害性およびこの薬剤への暴露時間の持続時間に対する効果を検出し得る。
【００８２】
（実施例３：細胞傷害性アッセイ）
この薬剤で処理した細胞ならびに未処理であるコントロール細胞は、等張緩衝液において連続希釈（例えば、１０倍希釈）され、等しいアリコートを取り出し、そして各々を、細菌Ｋｌｅｂｓｅｌｌａ  ａｅｒｏｇｅｎｅｓ（これは、このプレート上にローンを形成する）の存在する栄養寒天プレートにプレートする。Ｄｉｃｔｙｏｓｔｅｌｉｕｍ  ｄｉｓｃｏｉｄｅｕｍ細胞は細菌を貪食し、そしてこれらを食物源として使用する。従って、プレート上のＤｉｃｔｙｏｓｔｅｌｉｕｍ  ｄｉｓｃｏｉｄｅｕｍ細胞が存在する場所はどこでも、この細菌は消費され、そして元の細胞の連続した有糸分裂に起因して、明らかなプラークが形成される。４日後、このプラークを、その希釈での生存細胞数の尺度として計数する。この計数を希釈について補正し、そしてこれは、この薬剤で処理した培養物およびこの薬剤で処理していない培養物における生存細胞の尺度を提供し、これは次いで、細胞傷害性の直接的な尺度を提供する（Ｓｕｓｓｍａｎ，１９８７；Ｇａｒｃｉａら，２０００）。
【００８３】
色素排除を含む他の方法は、細胞傷害性を評価するための代替方法または相補方法として用いられ得、そして文献に記載される（Ｇａｒｃｉａ，２０００）。
【００８４】
（実施例４：ロボット工学）
１つの実施形態は、以下を含む大部分または全ての工程について液体取扱いロボットを用いる：細胞を分配する工程、薬剤を添加する工程、細胞を生存率試験のために取り出す工程（連続希釈を作製する工程を含む）、ＲＮＡを調製する工程またはレポーター遺伝子をアッセイする工程。この構成において、１日あたり数千の薬剤が、アッセイされるが、手動の方法を用いてすら、１日あたり数百のサンプルがアッセイされ得る。
【００８５】
（８．参考文献）
以下の参考文献は、本明細書中に示される手順を補う例示的な手順の詳細または他の詳細を提供する程度まで、本明細書中に参考として具体的に援用される。
【００８６】
【表１】
2004516819.tif 000002
2004516819.tif 000003
2004516819.tif 000004
2004516819.tif 000005
2004516819.tif 000006
2004516819.tif 000007
【国際公開パンフレット】
2004516819.tif 000008
2004516819.tif 000009
2004516819.tif 000010
2004516819.tif 000011
2004516819.tif 000012
2004516819.tif 000013
2004516819.tif 000014
2004516819.tif 000015
2004516819.tif 000016
2004516819.tif 000017
2004516819.tif 000018
2004516819.tif 000019
2004516819.tif 000020
2004516819.tif 000021
2004516819.tif 000022
2004516819.tif 000023
2004516819.tif 000024
2004516819.tif 000025
2004516819.tif 000026
2004516819.tif 000027
2004516819.tif 000028
2004516819.tif 000029
2004516819.tif 000030
2004516819.tif 000031
2004516819.tif 000032
2004516819.tif 000033
2004516819.tif 000034
2004516819.tif 000035
2004516819.tif 000036
2004516819.tif 000037
2004516819.tif 000038
2004516819.tif 000039
2004516819.tif 000040
【国際調査報告】
2004516819.tif 000041
2004516819.tif 000042